(57)【特許請求の範囲】
【請求項１】
二酸化炭素の処理方法であって、
水酸化マグネシウムを含む水分散体を準備することと、
前記水分散体と二酸化炭素を含むガスとを接触させることと、
前記水酸化マグネシウムと前記二酸化炭素とを反応させることと、を備え、
前記水分散体はアセトニトリルを含み、
前記アセトニトリルは、前記水分散体に１０重量％以上、４０重量％以下含まれる、ことを特徴とする二酸化炭素の処理方法。
【請求項２】
前記水酸化マグネシウムと前記二酸化炭素との反応は、前記水分散体を攪拌しながら行われる、ことを特徴とする請求項１に記載の二酸化炭素の処理方法。
【請求項３】
前記水分散体の準備は、
酸化マグネシウムを水に分散させて分散体を準備すること、
前記分散体にアセトニトリルを投入すること、を備える、
ことを特徴とする請求項１または２に記載の二酸化炭素の処理方法。
【請求項４】
前記酸化マグネシウムは１００ｎｍ以下の平均粒径（Ｄ５０）を有する、ことを特徴とする請求項３に記載の二酸化炭素の処理方法。
【請求項５】
前記二酸化炭素を含むガスは、天然ガス由来によるものである、ことを特徴とする請求項１から４のいずれか一項に記載の二酸化炭素の処理方法。
【請求項６】
前記水酸化マグネシウムと前記二酸化炭素との反応生成物を金属マグネシウム中で加熱して、グラフェンを形成する、ことを特徴とする請求項１から５のいずれか一項に記載の二酸化炭素の処理方法。
【請求項７】
請求項１から６のいずれか一項に記載の二酸化炭素の処理方法で使用する水分散体であって、
前記水分散体は、水と、水酸化マグネシウムと、アセトニトリルと、を含み、
前記アセトニトリルは、前記水分散体に１０重量％以上、４０重量％以下含まれる、ことを特徴とする水分散体。
【発明の詳細な説明】
【技術分野】
【０００１】
本発明は、二酸化炭素の処理方法、およびそれで使用する水分散体に関する。
【背景技術】
【０００２】
地球温暖化の原因の一つとされている二酸化炭素の削減は、世界的にも重要な課題となっている。二酸化炭素の排出の多くは、石油や石炭等をエネルギ源として使う火力発電からとされている。この火力発電における二酸化炭素の排出量を抑制する（低炭素化）ための方法として、二酸化炭素回収・貯留（ＣＣＳ＝Ｃａｒｂｏｎ  ｄｉｏｘｉｄｅ  Ｃａｐｔｕｒｅ  ａｎｄ  Ｓｔｏｒａｇｅ）、および二酸化炭素回収・有効利用・貯留（ＣＣＵＳ：Ｃａｒｂｏｎ  ｄｉｏｘｉｄｅ  Ｃａｐｔｕｒｅ，Ｕｔｉｌｉｚａｔｉｏｎ  ａｎｄ  Ｓｔｏｒａｇｅ）が開発および推進されている。
【０００３】
二酸化炭素の回収技術としては、吸収液を用いた、化学吸収法、物理吸収法、膜分離法、吸着法等が知られており、代表的な回収技術は、アミン水溶液を用いる化学吸収法である。一方、特許文献１は、酸化マグネシウムを含む水に二酸化炭素を接触させて二酸化炭素を炭酸マグネシウムとして固定化する技術を開示している。
【先行技術文献】
【非特許文献】
【０００４】
【特許文献１】特開２０１１−０７３９０３号公報
【発明の概要】
【発明が解決しようとする課題】
【０００５】
特許文献１は、水温、またはイオン濃度を制御して、二酸化炭素の処理効率を向上させることを開示しているが、特許文献１では、二酸化炭素の処理速度を調節することは考慮されていない。
【０００６】
したがって、本発明の目的は、二酸化炭素の処理速度を調節することができる二酸化炭素の処理方法を提供することにある。
【課題を解決するための手段】
【０００７】
本発明によれば、
二酸化炭素の処理方法であって、
水酸化マグネシウムを含む水分散体を準備することと、
前記水分散体と二酸化炭素を含むガスとを接触させることと、
前記水酸化マグネシウムと前記二酸化炭素とを反応させることと、を備え、
前記水分散体はアセトニトリルを含み、
前記アセトニトリルは、前記水分散体に１０重量％以上、４０重量％以下含まれる、ことを特徴とする二酸化炭素の処理方法。
【発明の効果】
【０００８】
本発明によれば、二酸化炭素の処理速度を調節することができる。
【図面の簡単な説明】
【０００９】
【図１】二酸化炭素の処理を実施する処理装置を示す図。
【図２】時間に対する二酸化炭素の消失量を示す図。
【発明を実施するための形態】
【００１０】
以下、添付図面を参照して実施形態を詳しく説明する。尚、以下の実施形態は特許請求の範囲に係る発明を限定するものではなく、また実施形態で説明されている特徴の組み合わせの全てが発明に必須のものとは限らない。実施形態で説明されている複数の特徴のうち二つ以上の特徴が任意に組み合わされてもよい。また、同一若しくは同様の構成には同一の参照番号を付し、重複した説明は省略する。
【００１１】
［二酸化炭素の処理方法］
本発明に係る二酸化炭素の処理方法は、水酸化マグネシウムを含む水分散体を準備することと、水分散体に二酸化炭素を含むガスを接触させることと、水酸化マグネシウムと二酸化炭素とを反応させることと、を備える。さらに、水分散体はアセトニトリルを含み、これにより、二酸化炭素の処理速度を調節することができる。
【００１２】
＜水酸化マグネシウムとアセトニトリルの水分散体＞
本発明に係る水分散体は、水と、水酸化マグネシウム（Ｍｇ（ＯＨ）２）と、アセトニトリル（ＣＨ３ＣＮ）と、を含む。水分散体の調整において、構成成分の混合の順番は特に限定されない。例えば、水分散体は、水と水酸化マグネシウムとの分散体にアセトニトリルを添加して形成されても、水とアセトニトリルとの混合液に水酸化マグネシウムまたは水酸化マグネシウム前駆体を添加して形成されても、水酸化マグネシウムとアセトニトリルとの分散体に水を添加して形成されてもよい。
【００１３】
水と、水酸化マグネシウムと、アセトニトリルと、を含む水分散体に対する水酸化マグネシウムの濃度は特に限定されるものでない。水酸化マグネシウムの濃度は、その固形分含有量として、一実施形態において１重量％以上、別の実施形態において５重量％以上、さらに別の実施形態において１０重量％以上、さらに別の実施形態において２０重量％以上、さらに別の実施形態において３０重量％以上であり得る。これにより、水分散体における二酸化炭素の吸収効率が向上する。また、水酸化マグネシウムの濃度は、その固形分含有量として、一実施形態において８０重量％以下、別の実施形態において７０重量％以下、さらに別の実施形態において６０重量％以下、さらに別の実施形態において５０重量％以下、さらに別の実施形態において４０重量％以下であり得る。これにより、水分散体が適切な粘度となり、水酸化マグネシウムと二酸化炭素との反応が均一となる。
【００１４】
水と、水酸化マグネシウムと、アセトニトリルと、を含む水分散体に対するアセトニトリルの濃度は特に限定されるものでない。アセトニトリルの濃度は、一実施形態において１重量％以上、別の実施形態において５重量％以上、さらに別の実施形態において１０重量％以上、さらに別の実施形態において２０重量％以上であり得る。また、アセトニトリルの濃度は、一実施形態において６０重量％以下、別の実施形態において５０重量％以下、さらに別の実施形態において４０重量％以下、さらに別の実施形態において３０重量％以下であり得る。これにより、水分散体における二酸化炭素の吸収速度の調節が容易になる。
【００１５】
（水酸化マグネシウムの分散体）
一実施形態において、水分散体は、予め水と水酸化マグネシウムとの分散体を作製し、その分散体にアセトニトリルを投入して形成される。水と水酸化マグネシウムとの分散体は、水に酸化マグネシウムまたは水酸化マグネシウムを添加して形成され得る。または、水と水酸化マグネシウムとの分散体として、市販の水と水酸化マグネシウムとの分散体が使用され得る。
【００１６】
一実施形態において、水と水酸化マグネシウムとの分散体は、上述の水分散体における水酸化マグネシウム濃度となるように、酸化マグネシウム（ＭｇＯ）を水に投入し、所定の温度で撹拌されて調整される。調整時の温度および撹拌については、特に限定されるものでなく、常温（例えば、２５±１５℃）で行われ得る。
【００１７】
酸化マグネシウムの純度は、一実施形態において８０ｗｔ％以上、別の実施形態において９０ｗｔ％以上、さらに別の実施形態において９５ｗｔ％以上とすることができる。これにより、水分散体における二酸化炭素の吸収効率が向上する。
【００１８】
一実施形態において、酸化マグネシウムは粉末であり得る。酸化マグネシウムの平均粒径（Ｄ５０）は、一実施形態において５００ｎｍ以下、別の実施形態において３００ｎｍ以下、さらに別の実施形態において２００ｎｍ以下、さらに別の実施形態において１００ｎｍ以下、さらに別の実施形態において８０ｎｍ以下である。また、酸化マグネシウムの平均粒径（Ｄ５０）は、一実施形態において１ｎｍ以上、別の実施形態において１０ｎｍ以上、さらに別の実施形態において２０ｎｍ以上、さらに別の実施形態において３０ｎｍ以上、さらに別の実施形態において４０ｎｍ以上である。酸化マグネシウムがこのような平均粒径を有することで、水分散体中に生成する水酸化マグネシウムと、二酸化炭素との反応が向上する。平均粒径（Ｄ５０）は、レーザー回折・散乱法に基づく体積基準の粒度分布により得られる値であり、Ｄ５０値は累積５０％での粒径（メジアン径）を意味する。
【００１９】
水は、溶媒として機能するもので、特に限定されるものでない。水の由来としては特に限定されず、水道水、地下水、蒸留水、イオン交換水等を用いることができる。
【００２０】
（アセトニトリル）
水分散体に含まれるアセトニトリルは、特に限定されるものでない。アセトニトリルの純度は、一実施形態において９０重量％以上、別の実施形態において９５重量％以上、さらに別の実施形態において９８重量％以上、さらに別の実施形態において９９重量％以上とすることができる。これにより、水分散体における二酸化炭素の吸収速度の調節が向上する。
【００２１】
（添加物）
一実施形態において、水と、水酸化マグネシウムと、アセトニトリルと、を含む水分散体は、種々の添加物、例えば分散剤を含むことができる。分散剤の材料は特に制限されるものでなく、例えば、無機化合物の分散剤、高分子界面活性剤等が例示される。これにより、水酸化マグネシウムの固形分濃度が高い場合でも、水酸化マグネシウムの分散性が向上し、水酸化マグネシウムと二酸化炭素との反応が均一となる。一実施形態において、分散剤は、水と水酸化マグネシウムとの分散体の作製において、水酸化マグネシウムまたは酸化マグネシウムを投入する前に予め水に投入し、次いで水酸化マグネシウムまたは酸化マグネシウムを投入することで、水酸化マグネシウムを均一に分散させることができる。
【００２２】
＜二酸化炭素の接触および反応＞
本発明に係る二酸化炭素の接触および反応では、二酸化炭素を含むガスが、上述の水分散体と接触させられ、水分散体中の水酸化マグネシウムと反応させられる。二酸化炭素を含むガスを水分散体と接触および反応させる方法は、特に限定されないが、二酸化炭素を水分散体中にバブリングにより導入する方法、二酸化炭素を含むガス中に水分散体を散布する方法、二酸化炭素を含むガスと水分散体とを向流接触させる方法等が例示される。
【００２３】
一実施形態において、二酸化炭素を含むガスは水分散体中にバブリングにより導入され、水分散体と接触および反応させられる。水分散体の温度は、特に限定されるものでなく、常温（例えば、２５±１５℃）で行われ得る。これにより、二酸化炭素の吸収速度や吸収量が向上し得る。また、水分散体を撹拌しながら、二酸化炭素を含むガスと水分散体とを接触および反応させてもよい。二酸化炭素を含むガスの導入速度は、特に限定されるものでなく、水分散体の二酸化炭素の処理速度に応じて決定され得る。
【００２４】
また、二酸化炭素を含むガスの圧力は、特に限定されるものでなく、例えば、大気圧以上の圧力とすることができる。これにより、二酸化炭素の吸収速度や吸収量が向上し得る。なお、二酸化炭素を含むガスの圧力を大気圧未満の圧力とすることもできる。
【００２５】
本発明に係る二酸化炭素を含むガスは、純粋な二酸化炭素に限らず、二酸化炭素を含むものであればよい。一実施形態において、天然ガスのガス田および天然ガス精製設備から排出されるガスには、高濃度の二酸化炭素が含まれており、二酸化炭素を含むガスとして、このような天然ガス由来のガスが挙げられる。また、二酸化炭素を含むガスとしては、例えば、火力発電所、製造所のボイラ、セメント工場のキルン、製鉄所の高炉および転炉、焼却炉等の各種施設や設備から排出されるガスも挙げられる。これらのガスには、液化天然ガス（ＬＮＧ）および液化石油ガス（ＬＰ）等の気体燃料、重油、ガソリン、および軽油等の液体燃料、石炭等の固体燃料等を燃焼させて発生する二酸化炭素が含まれている。
【００２６】
ガス中における二酸化炭素の濃度は、特に限定されるものではない。二酸化炭素の濃度は、一実施形態において５体積％以上、別の実施形態において１０体積％以上、さらに別の実施形態において２０体積％以上であり得る。また、二酸化炭素の濃度は、一実施形態において５０体積％以下、別の実施形態において４０体積％以下、さらに別の実施形態において３０体積％以下であり得る。これにより、十分な吸収速度および吸収量で、水分散体に二酸化炭素は吸収され得る。なお、ガス中には、二酸化炭素以外に水蒸気、ＮＯｘ、ＳＯｘ、ＣＯ、Ｈ２Ｓ、ＣＯＳ、Ｈ２、Ｏ２等が含まれ得る。
【００２７】
＜生成物＞
本発明に係る二酸化炭素の接触および反応では、炭酸マグネシウムが生成する。炭酸マグネシウムは、ろ過等の従来公知の方法によって回収することができる。炭酸マグネシウムは、床材、耐火、消火組成物、化粧品、粉塵、歯磨き粉、充填材、プラスチック中の煙抑制剤、ネオプレンゴム中の補強剤、乾燥剤、食品中の色保持、投影スクリーン用のマットホワイトコーティング等で利用され得る。
【００２８】
一実施形態において、炭酸マグネシウムは、金属マグネシウム中において所定温度（例えば、６００℃）で加熱されると、グラフェンと酸化マグネシウムの混合物が形成される。混合物は、水および酸性水溶液の少なくとも１つと混合し、ろ過等することにより、グラフェンがマグネシウム含有液と分離され得る。グラフェンは、導電性、光学特性、スピン輸送、磁場効果等有し、電子デバイス構成要素として利用され得る。一方、マグネシウム含有液は、本発明に係る水分散液の一部として利用され得る。
【実施例】
【００２９】
以下に、実施例により本発明の実施形態を説明する。しかしながら、本発明は、その要旨を超えない限り、以下の実施例には限定されない。
【００３０】
（実施例１）
図１は、二酸化炭素の処理を実施する処理装置を示す。処理装置１００は、水分散体を保持するフラスコ１０と、ドライアイスを保持するフラスコ２０と、フラスコ１０とフラスコ２０を連結するチューブ３０と、水分散体を支持および撹拌する撹拌装置４０と、ドライアイスを支持する支持装置５０と、を備える。処理装置１００は、密閉式の装置である。また、フラスコ１０は、吸収された二酸化炭素を測定するために水分散体を採取する採取口６０を備え、フラスコ２０は、ドライアイスの気化を促進させる水を添加するための水導入口７０を備える。
【００３１】
まず、水と水酸化マグネシウムの分散体を準備した。水と水酸化マグネシウムの分散体は、水酸化マグネシウムの濃度が分散体におけるその固形分含有量で８重量％となるように、酸化マグネシウムを水に混合して調製された。酸化マグネシウムは、純度９９．８％で、５０ｎｍの平均粒径（Ｄ５０）を有していた。次いで、水と、水酸化マグネシウムと、アセトニトリルと、を含む水分散体を準備した。水分散体におけるアセトニトリルの濃度が、１０重量％（試料Ｓ１）となるように、上記の水と水酸化マグネシウムの分散体にアセトニトリルを投入した。アセトニトリルは、純度９９重量％以上のものを使用した。
【００３２】
試料Ｓ１の水分散体８０をフラスコ１０（底板直径７ｃｍ程度）の容積の約１／３程度となるように投入した。一方、フラスコ２０（底板直径７ｃｍ程度）に、１個の大きさ０．７ｃｍ×０．７ｃｍ×３ｃｍ程度のドライアイス９０を４個投入した。ドライアイス９０の１個（比重１．５６）は、二酸化炭素に換算して４４Ｌ（２８．２ｍＬ）であり、ドライアイス９０の４個は、二酸化炭素に換算して換算１７６Ｌ（１１２．８ｍＬ）である。
【００３３】
フラスコ１０、２０は、それぞれ撹拌装置４０、および支持装置５０に支持させた。フラスコ１０とフラスコ２０とを、チューブ３０で連結し、フラスコ１０内の水分散体８０を攪拌装置４０で約１５００ｒｐｍで攪拌しながら、フラスコ２０からフラスコ１０へ矢印のように二酸化炭素９１を送り、特に加熱および冷却せずに常温で（２５±１５℃）、水分散体８０と二酸化炭素９１とを接触および反応させた。また、ドライアイス９０の気化を促進させるために、３０秒毎に約３０ｃｃの水を水導入口７０からフラスコ２０に注入した。
【００３４】
フラスコ１０の採取口６０から、水分散体を３０秒毎に採取し、消失した二酸化炭素の量を求めた。まず、採取した水分散体をろ過して固形分とろ液に分離した後、固形分に関して、炭素１３核磁気共鳴（ＮＭＲ）法によりＣＯ３部分について確認し、また、上記固形分を炎の中で燃やし、Ｍｇを確認し、炭酸マグネシウムの存在を確認した。また、固形分（炭酸マグネシウム）を酸水溶液と反応させて放出された二酸化炭素を測定することで、水分散体８０に吸収され、反応した二酸化炭素（消失した二酸化炭素）の量を求めた。図２に、時間に対する二酸化炭素の消失量を示す。
【００３５】
（実施例２ないし４）
水と、水酸化マグネシウムと、アセトニトリルと、を含む水分散体におけるアセトニトリルの濃度が、実施例２では２０重量％（試料Ｓ２）、実施例３では３０重量％（試料Ｓ３）、実施例４では４０重量％（試料Ｓ４）となるように、実施例１で使用したものと同様の水と水酸化マグネシウムの分散体に、アセトニトリルを投入して、水分散体を調整した。この点を除き、実施例２ないし４では、実施例１と同様に二酸化炭素の処理を実施した。図２に時間に対する二酸化炭素の消失量を示す。
【００３６】
（参考例１）
実施例１で使用したものと同様の水と水酸化マグネシウムの分散体にアセトニトリルを投入しない水分散体（試料ＲＳ１）、すなわち、上記の水と水酸化マグネシウムの分散体を、フラスコ１０に投入する水分散体としたことを除き、実施例１と同様に二酸化炭素の処理を実施した。図２に時間に対する二酸化炭素の消失量を示す。
【００３７】
図２に示すように、水分散体中のアセトニトリルの投入量に応じて、二酸化炭素の消失曲線の傾斜が緩やかになり（消失速度が遅くなる）、二酸化炭素の消失速度は、アセトニトリルの濃度で調節され得る。例えば、二酸化炭素を含むガス中の二酸化炭素の濃度が低い場合（１０体積％以下）、アセトニトリルの濃度を高く（３０重量％）することができ、ガス中の二酸化炭素の量または圧力に応じて水分散体のアセトニトリルの濃度を選択することができる。
【００３８】
以上、発明の実施形態について説明したが、発明は上記の実施形態に制限されるものではなく、発明の要旨の範囲内で、種々の変形・変更が可能である。
【符号の説明】
【００３９】
１００  処理装置、１０  フラスコ、２０  フラスコ、３０  チューブ、４０攪拌装置、５０  支持装置、６０  採取口、７０  水導入口、８０水分散体、９０  ドライアイス、９１  二酸化炭素
【要約】
【課題】二酸化炭素の処理速度を調節することができる二酸化炭素の処理方法を提供する。
【解決手段】二酸化炭素の処理方法であって、水酸化マグネシウムを含む水分散体を準備することと、前記水分散体と二酸化炭素を含むガスとを接触させることと、前記水酸化マグネシウムと前記二酸化炭素とを反応させることと、を備え、前記水分散体はアセトニトリルを含む、ことを特徴とする二酸化炭素の処理方法。
【選択図】図２【図１】
0006905693.tif 000002
【図２】
0006905693.tif 000003